(57)【要約】      （修正有）【課題】園児等の安全を確保でき、かつ簡単な構成で被服上での回転を規制し得る名札を提供する。【解決手段】この名札１は、例えば園児のスモックの左胸に着脱自在に取り付けられるものであって、略四角形状の名札本体１１と、この名札本体１１を立てたときの上部の左右方向に延びるボタンホルダ１３と、を備え、このボタンホルダ１３は、スモックに縫いつけられたボタン２回りに名札本体１１が回転しにくくなるように、このボタン２に掛け留め可能とされるものである。【選択図】図３
0003136533.tif 000002
【実用新案登録請求の範囲】
【請求項１】
衣服の所定箇所に着脱自在に取り付けられる名札であって、
略平面状の名札本体と、
この名札本体を立姿勢としたときの、該名札本体の上部の左右方向に延びるように形成されたボタンホルダと、を備え、
このボタンホルダは、前記衣服に縫いつけられたボタン回りでの名札本体の回動を規制するように、該ボタンに掛け留め可能であることを特徴とする名札。
【請求項２】
前記ボタンホルダは、少なくとも周囲が弾性体からなっており、
前記名札本体を立姿勢としたときの、該名札本体の上部が左右方向に押圧され、或いは上下方向に引っ張られたときに、前記弾性体が上下に分かれてそれぞれ屈曲することにより前記ボタンホルダを開き、
前記名札本体を立姿勢としたときの、該名札本体の上部が左右方向に押圧されておらず、かつ上下方向に引っ張られていないときには、前記弾性体が弾性復帰して前記ボタンホルダを閉じる
ように構成したことを特徴とする請求項１記載の名札。
【請求項３】
前記ボタンには、前記ボタンホルダを閉じた状態での該ボタンホルダの上下方向の隙間寸法よりも大きい距離だけ離間した糸通し穴が形成され、
この糸通し穴が前記ボタンホルダの左右方向に沿って一列に並び得るように該ボタンが前記衣服に縫いつけられることを特徴とする請求項２記載の名札。
【請求項４】
前記ボタンの糸通し穴は、少なくとも３個列設されており、最も外側の２個の糸通し穴同士が少なくとも前記距離だけ離間していることを特徴とする請求項３記載の名札。
【考案の詳細な説明】
【技術分野】
【０００１】
本考案は、園児のスモックやＴシャツ等の衣服の所定箇所に着脱自在に取り付けられる名札に関するものである。
【背景技術】
【０００２】
通常、園児のスモック等の衣服の左胸には、その園児の名前を認識するための名札を安全ピンで取り付けている。しかし、園児が遊びに夢中になって、安全ピンが外れそうになった場合には、安全が確保されにくい。また、衣服に繰り返し安全ピンを用いると、その衣服が穴だらけになってしまう。
【０００３】
そこで、例えば特許文献１では、名札を被服に取付けるための従来の安全ピンに代えてサスペンダー式のクリップを設け、該クリップで名札を被服にぶら下げることが提案されている。
【０００４】
また、例えば特許文献２では、衣服の胸ポケットにボタンで留めるフラップを備えたものに名札を取付けるようにした構成であって、衣服の胸ポケットにおける開口縁にヒンジ部を引っ掛けてウラ札部をポケット内に挿入するとともに、オモテ札部をポケットの外側に吊り下げ状態となし、さらに、オモテ札部におけるスペースに、ポケットに取付けたボタンを外側に貫通させて、オモテ札部のスペースの外側に被せるポケットのフラップに設けたボタン穴にボタンを掛け留め可能とする通孔を穿設したものが提案されている。
【０００５】
また、例えば特許文献３は、名札ではないが、単純に、衣服の胸ポケットに設けられたボタンに、所定形状のシートの上方位置の左右方向に形成されたスリットを掛け留めできるワッペンが提案されている。
【０００６】
前記特許文献１では、サスペンダー式のクリップを設けているので、複雑な構成であるがゆえに高価なものとなっている。また、特許文献２は、衣服の胸ポケットにボタンで留めるフラップを備えたものにしか適用できず、これも複雑な構成であるがゆえに高価である。この点、前記特許文献３は、ボタンにスリットを掛け留めするといった、極めて簡単な構成であるがゆえに安価である。
【特許文献１】実用新案登録第３０７７４５６号公報
【特許文献２】実用新案登録第３０４７５７０号公報
【特許文献３】特開２００１−３０１３９２号公報
【考案の開示】
【考案が解決しようとする課題】
【０００７】
ところが、前記特許文献３では、ワッペンを構成するシートの上方位置の左右方向に形成されたスリット内でボタンが緩く嵌められているため、例えばシートをつけた者が激しく運動した場合などには、その者の被服の胸ポケットに取り付けられたボタン回りに当該シートが大きく揺れ動くおそれがある。これでは、ワッペンとは異なり、名札をつけている者を正確に認識させるという、その名札の基本的な機能を確保することが困難である。
【０００８】
特に園児のスモック等の衣服に取り付ける名札は、例えば「あきな」や「あきよ」のようにひらがな表記がなされていることが多いことから、一見して似たような表記が多くなり、その名札をつけている園児が激しく運動するなどして当該名札が大きく揺れ動いた場合には、大人が用いる名札のように漢字表記がなされたものに比べて、きわめて読み取りにくいといった実情がある。
【０００９】
本考案は、このような状況に鑑みなされたものであって、園児等の安全を確保でき、かつ簡単な構成で被服上での回動を規制し得る名札を提供することを目的としている。
【課題を解決するための手段】
【００１０】
本考案は、衣服の所定箇所に着脱自在に取り付けられる名札であって、略平面状の名札本体と、この名札本体を立姿勢としたときの、該名札本体の上部の左右方向に延びるように形成されたボタンホルダと、を備え、このボタンホルダは、前記衣服に縫いつけられたボタン回りでの名札本体の回動を規制するように、該ボタンに掛け留め可能であることを特徴とするものである。
【００１１】
本考案によれば、名札本体を立姿勢としたときの、該名札本体の上部の左右方向に延びるように形成されたボタンホルダが、前記衣服に縫いつけられたボタン回りでの名札本体の回動を規制するように、該ボタンに掛け留め可能であるので、前記特許文献１〜３と同様に、安全ピンを使用せず、園児等の安全を確保できる。
【００１２】
また、前記特許文献１，２と比べて、きわめて簡単で安価な構成でありながら、被服上での名札の回動を規制し得ることにより、前記特許文献３のワッペンと異なり、名札をつけている者を正確に認識させるという、その名札の基本的な機能を確保することができる。
【００１３】
請求項２記載の考案のように、前記ボタンホルダは、少なくとも周囲が弾性体からなっており、前記名札本体を立姿勢としたときの、該名札本体の上部が左右方向に押圧され、或いは上下方向に引っ張られたときに、前記弾性体が上下に分かれてそれぞれ屈曲することにより前記ボタンホルダを開き、前記名札本体を立姿勢としたときの、該名札本体の上部が左右方向に押圧されておらず、かつ上下方向に引っ張られていないときには、前記弾性体が弾性復帰して前記ボタンホルダを閉じるように構成することが好ましい。
【００１４】
請求項２記載の考案によれば、前記ボタンホルダは、少なくとも周囲が弾性体からなっており、前記名札本体を立姿勢としたときの、該名札本体の上部が左右方向に押圧され、或いは上下方向に引っ張られたときに、前記弾性体が上下に分かれてそれぞれ屈曲することにより前記ボタンホルダを開き、前記名札本体を立姿勢としたときの、該名札本体の上部が左右方向に押圧されておらず、かつ上下方向に引っ張られていないときには、前記弾性体が弾性復帰して前記ボタンホルダを閉じるように構成されているので、その閉じられたボタンホルダでもって、ボタンの衣服への縫いつけ糸を挟み込んで固定することにより、その被服上での名札の回動を確実に規制し得るものとなる。
【００１５】
請求項３記載の考案のように、前記ボタンには、前記ボタンホルダを閉じた状態での該ボタンホルダの上下方向の隙間寸法よりも大きい距離だけ離間した糸通し穴が形成され、この糸通し穴が前記ボタンホルダの左右方向に沿って一列に並び得るように該ボタンが前記衣服に縫いつけられることが好ましい。
【００１６】
請求項３記載の考案によれば、前記ボタンには、前記ボタンホルダを閉じた状態での該ボタンホルダの上下方向の隙間寸法よりも大きい距離だけ離間した糸通し穴が形成され、この糸通し穴が前記ボタンホルダの左右方向に沿って一列に並び得るように該ボタンが前記衣服に縫いつけられるので、その閉じた状態のボタンホルダの隙間寸法よりも大きい距離だけ離間した糸通し穴間を通された、縫いつけ糸が当該ボタンホルダの隙間内で回転しにくくなり、これによって、その被服上での名札の回動をより確実に規制し得るものとなる。
【００１７】
請求項４記載の考案のように、前記ボタンの糸通し穴は、少なくとも３個列設されており、最も外側の２個の糸通し穴同士が少なくとも前記距離だけ離間していることが好ましい。
【００１８】
請求項４記載の考案によれば、前記ボタンの糸通し穴は、少なくとも３個列設されており、最も外側の２個の糸通し穴同士が少なくとも前記距離だけ離間しているので、各糸通し穴間のピッチが短くなり、この各糸通し穴間を通された、縫いつけ糸は変形しにくくなる。したがって、各縫いつけ糸を一列に並べたものが、前記閉じた状態のボタンホルダの隙間寸法よりも大きい距離だけ離間したものとなり、縫いつけ糸の集合体が当該ボタンホルダの隙間内でより回転しにくくなる。これによって、その被服上での名札の回動をさらに確実に規制し得るものとなる。
【考案の効果】
【００１９】
本考案によれば、名札本体を立姿勢としたときの、該名札本体の上部の左右方向に延びるように形成されたボタンホルダが、前記衣服に縫いつけられたボタン回りでの名札本体の回動を規制するように、該ボタンに掛け留め可能であるので、前記特許文献１〜３と同様に、安全ピンを使用せず、園児等の安全を確保できる。
【００２０】
また、前記特許文献１，２と比べて、きわめて簡単で安価な構成でありながら、被服上での名札の回動を規制し得ることにより、前記特許文献３のワッペンと異なり、名札をつけている者を正確に認識させるという、その名札の基本的な機能を確保することができる。
【考案を実施するための最良の形態】
【００２１】
図１は本考案の一実施形態に係る名札の概略構成を示す平面図、図２（ａ）（ｂ）は名札を衣服に取付ける様子を示す説明図、図３（ａ）はその実施形態の部分拡大図、（ｂ）はその変形例を示す部分拡大図である。
【００２２】
図１及び図２（ａ）（ｂ）に示すように、本実施形態に係る名札１は、ボタン２を用いて、例えば園児のスモック（衣服に相当する。）３の所定箇所としての例えば左胸に着脱自在に取り付けられるものであって、名札本体１１と、この名札本体１１を立姿勢としたときの、名札本体１１の上部の左右方向に延びるボタンホルダ１３と、を備え、このボタンホルダ１３は、スモック３に縫いつけられたボタン２回りの名札本体１１の回動を規制し得るように、ボタン２に掛け留め可能とされるものである。
【００２３】
名札本体１１は、例えば防水布製であって、略四角形状（略平面状）をなしており、名札本体１１を立姿勢としたときの、当名札本体１１の上部にはボタンホルダ１３が形成されるとともに、その中間部から下部にかけて園児の名前をマジックインキ（登録商標）等で直接書き込むか、或いは、別途名前が記入された紙等を差し込むことのできるネーム部１５が設けられている。
【００２４】
このネーム部１５は、透明なビニール等で覆われて名前が外から見えるようにした構造となっており、これにより、名前が雨水で濡れて消えないようになっている。
【００２５】
また、名札本体１１の外周縁には、例えば合成樹脂製の補強部材１２が付設されている。例えば名札本体１１の外周縁を包むようにして折り返した補強部材１２を糸で縫いつけるか、或いは貼り付けることでよい。これにより、名札本体１１は、万一にも外周縁で園児の手を傷つけるおそれなどがなくなり、さらにその外周縁からの布糸のほつれがなくなるので、安全でかつ繰り返し使用に耐えることができるようになる。
【００２６】
なお、名札本体１１の形状は、略四角形に限定されず、例えば円形、楕円形又は多角形等のあらゆる平面状のものとすることができる。また、動物や、マンガのキャラクターや、チューリップや、りんごの形状などを模したものとすることもできる。また、その表面又は裏面に多少の凹凸部を有するものであってもよい。
【００２７】
ボタンホルダ１３は、名札本体１１を立姿勢としたときの、該名札本体１１の上部に左右方向に穿設されて形成されており、この穿設部位（穴）の内周縁には、例えば合成樹脂製の補強部材（弾性体に相当する。）１４が付設されている。例えばボタンホルダ１３の内周縁を包むようにして折り返した補強部材１４を糸で縫いつけるか、或いは貼り付けることでよい。これにより、ボタンホルダ１３は、内周縁からの布糸のほつれがなくなり、さらにその内周縁の切り欠き効果により両端が裂けてくるおそれがなくなるので、繰り返し使用に耐えることができるようになる。なお、補強部材１４は、前記穿設部位（穴）の内周縁を補強するようにスパイラル状或いはループ状に繰り返し縫いつけられた補強芯糸で構成してもよい。
【００２８】
そして、ボタンホルダ１３は、名札本体１１を立姿勢としたときの、該名札本体１１の上部が左右方向に押圧され、或いは上下方向（左右方向と直角方向）に引っ張られたときに、補強部材１４が上下に分かれてそれぞれ互いに離間する向きに屈曲することによりボタンホルダ１３を開き、名札本体１１を立姿勢としたときの、該名札本体１１の上部が左右方向に押圧されておらず、かつ上下方向に引っ張られていないときには、補強部材１４が弾性復帰してボタンホルダ１３を閉じさせる。すなわち、補強部材１４は、ボタンホルダ１３を変形させた後に、それ自体が単体で、或いは名札本体１１が有することのある弾性復帰力と相俟って、ボタンホルダ１３をほぼ元の姿に弾性復帰させうる程度の弾性復帰力を有するものであればなんでもよい。
【００２９】
したがって、図１及び図２（ａ）に示すように、園児の保護者等が名札本体１１の外周縁を左右から手で押圧するか、或いは上下に手で引っ張るだけで、ボタンホルダ１３が上下に開き、図１及び図２（ｂ）に示すように、手放すとそのボタンホルダ１３が閉じるようになる。これにより、スモック３のボタン２への名札本体１１の装脱着が容易となる。ここで、補強部材１４を左右方向にさらに延ばして、その両端を名札本体１１の外周縁の補強部材１２にそれぞれ連結するようにしてもよい。この場合には、手の動きが補強部材１２，１４に直接的に伝わって、ボタンホルダ１３の開閉動作がより確実なものとなるので、スモック３のボタン２への名札本体１１の装脱着がさらに容易となる。
【００３０】
ボタン２は、例えば貝殻製や合成樹脂製であって、中央部が若干凹んだ円皿状をなしている。この凹部に、図１に示すように、ボタンホルダ１３を閉じた状態でのそのボタンホルダ１３の左右方向と直角方向の隙間寸法ｄ２よりも大きい距離ｄ１だけ離間した糸通し穴２１が２個形成されている。なお、上記隙間寸法ｄ２は、できるだけ小さいことが好ましいが、必ずしも０（ゼロ）でなくてもよい。
【００３１】
そして、図３（ａ）に示すように、２個の糸通し穴２１がボタンホルダ１３の左右方向に沿って一列に並び得るようにして、これらの糸通し穴２１に縫いつけ糸２２を数回通すことにより、ボタン２がスモック３に固定されるようになっている。これにより、上記のようにして形成されたボタンホルダ１３の閉じた状態での隙間内で、縫いつけ糸２２は回転しにくくなり、スモック３上での名札本体１１の回動をより確実に規制し得るものとなる。
【００３２】
なお、ボタン２の形状についても、円皿状のものに限定されず、例えば楕円状や多角形状等のあらゆる形状とすることができる。ただし、名札本体１１のボタンホルダ１３にボタン２を掛け留めする際に、そのボタン２を把持しやすいように、若干立体的な形状であることが好ましい。
【００３３】
以上説明したように、本実施形態の名札１によれば、名札本体１１を立てたときの上部の左右方向に延びるように形成されたボタンホルダ１３が、スモック３に縫いつけられたボタン２回りでの名札本体１１の回動を規制し得るように、ボタン２に掛け留め可能であるので、前記特許文献１〜３と同様に、安全ピンを使用せず、園児等の安全を確保できる。
【００３４】
また、前記特許文献１，２と比べて、きわめて簡単で安価な構成でありながら、スモック３上での名札１の回動を規制し得ることにより、前記特許文献３のワッペンと異なり、名札１をつけている者を正確に認識させるという、その名札１の基本的な機能を確保することができる。
【００３５】
なお、上記実施形態の名札１では、図１及び図３（ａ）に示すように、ボタン２の糸通し穴２１は、２個列設され、これら糸通し穴２１同士が前記距離ｄ１だけ離間しているが、図１及び図３（ｂ）に示すように、前記ボタン２の糸通し穴２１は、３個列設されており、最も外側にある２個の糸通し穴２１同士が前記距離ｄ１以上離間していることとしてもよい。この場合には、各糸通し穴２１間のピッチが短くなり、各縫いつけ糸２２は変形しにくくなる。
【００３６】
したがって、この場合には、各縫いつけ糸２２を一列に並べたものが、前記閉じた状態のボタンホルダ１３の隙間寸法ｄ２よりも大きい距離ｄ１だけ離間したものとなり、縫いつけ糸２２の集合体が当該ボタンホルダ１３の隙間内でより回転しにくくなる。これによって、そのスモック３上での名札１の回動をさらに確実に規制し得るものとなる。
【００３７】
また、ボタン２の糸通し穴２１が、４個以上列設されるときにあっては、最も外側の２個の糸通し穴２１同士が前記距離ｄ１以上離間していることとすればよいし、これの代わりに、前記ボタン２を２個列設してもよい。これらによっても、名札１は、同様に、ボタン２回りにより確実に回動しにくくなる。
【００３８】
また、前記ボタン２は、前記スモック３に縫いつけられ、前記ボタンホルダ１３に嵌合可能な多角形状の突起部（図略）を備えたものであることとしてもよい。これによっても、同様に、名札１は、ボタン２回りにより確実に回動しにくくなる。
【００３９】
また、上記実施形態では、名札本体１１の外周縁に補強部材１２を付設するとともに、ボタンホルダ１３の内周縁に補強部材１４を付設しているが、これらの材料をすべて同じ弾性体で構成し、一体形成することとしてもよいし、或いは補強部材１２だけを省略することとしてもよい。その場合には、補強部材１２，１４を名札本体１１やボタンホルダ１３に縫いつける等の手間が省略できて、さらなる安価な構造とすることができる。
【００４０】
また、上記実施形態では、名札１は、例えば園児のスモック３の左胸に着脱自在に取り付けられているが、例えばＴシャツ等の他の衣服に取り付けられてもよいし、その衣服の左ポケット等にすでに取り付けられている飾りボタン等を利用することとしてもよい。衣服は園児のスモック３等に限定されず、例えば大人の作業着やズボン等であってもよい。さらに、名札１の取り付けられる所定箇所は、スモック３の左胸に限定されず、他の衣服の任意の部位であってもよい。
【００４１】
さらに、名札１の代わりに、名前を認識するといった名札本来の機能を要求しないワッペンや表示プレート等のあらゆるタグについても、本考案を適用できることはいうまでもない。
【図面の簡単な説明】
【００４２】
【図１】本考案の一実施形態に係る名札の概略構成を示す平面図である。
【図２】名札をスモックに取り付けるときの様子を示す説明図であって、（ａ）は取り付け前の様子、（ｂ）は取り付け後の様子をそれぞれ示している。
【図３】（ａ）は本実施形態の部分拡大図、（ｂ）は変形例の部分拡大図である。
【符号の説明】
【００４３】
１  名札
１１  名札本体
１２  補強部材
１３  ボタンホルダ
１４  補強部材（弾性部材に相当する。）
１５  ネーム部
２  ボタン
２１  糸通し穴
２２  縫いつけ糸
３  スモック（衣服に相当する。）
【図１】
0003136533.tif 000003
【図２】
0003136533.tif 000004
【図３】
0003136533.tif 000005